(57)【要約】      （修正有）【課題】汗や蒸れにより発生する脱着時の手間や、衛生上の問題を解決する携帯性の良いタッチパネル用指サックを提供する。【解決手段】タッチパネル用指サックは、主体部１００と、ストラップ連結部１３０と、を有する略円筒状であり、主体部は、弾性かつ導電性を有する素材からなり、開口部１１０および指の挿通口１２０を有する。【選択図】図１
0003229679.tif 000002
【実用新案登録請求の範囲】
【請求項１】
タッチパネル用指サックであって、
前記タッチパネル用指サックは、主体部と、ストラップ連結部と、を有する略円筒状であり、
前記主体部は、弾性かつ導電性を有する素材からなり、
前記主体部は、開口部および挿通口を有する、
タッチパネル用指サック。
【請求項２】
請求項１に記載のタッチパネル用指サックにおいて、
前記ストラップ連結部は、ストラップと連結される、
タッチパネル用指サック。
【請求項３】
請求項１または請求項２に記載のタッチパネル用指サックにおいて、
前記主体部の外側および内側の表面に抗菌剤を塗布する、
タッチパネル用指サック。
【請求項４】
請求項１乃至請求項３に記載のタッチパネル用指サックにおいて、
前記主体部は、前記主体部の先端側の上面に開放孔をさらに有する、
タッチパネル用指サック。
【考案の詳細な説明】
【技術分野】
【０００１】
本考案は、タッチパネル用指サックに関する。
【背景技術】
【０００２】
従来、スマートフォン端末等の表示画面を操作する際、表示画面に直接触れると画面が汚れる場合や、爪にネイルをしたり指の表面が乾燥したりして、タッチパネルを上手く操作できない場合があった。また、そのような場合に指サックを着用して操作すると、汗や蒸れによって脱着に手間がかかり、衛生面においても好ましくない。さらに、指サックは装着してない時に紛失しやすく、携帯性にも課題があった。
【先行技術文献】
【特許文献】
【０００３】
【特許文献１】特開２０１５−０６４８８０号公報
【考案の概要】
【考案が解決しようとする課題】
【０００４】
特許文献１には、タッチパネル向けの多機能指サックが開示されている。しかし、特許文献１に記載の技術では、指サックをして操作する際、汗や蒸れにより発生する脱着時の手間や、衛生上の問題を解決できない。さらに、指サックを装着してない時の、携帯性の課題を解決できない。
【０００５】
本考案の目的は、指サックをして操作する際、汗や蒸れにより発生する脱着時の手間や、衛生上の問題を解決し、指サックを装着してない時の携帯性の課題を解決する技術を提供することである。
【課題を解決するための手段】
【０００６】
本願において開示される考案のうち、代表的なものの概要を簡単に説明すれば、次の通りである。
【０００７】
本考案の一実施の形態のタッチパネル用指サックは、主体部と、ストラップ連結部と、を有する略円筒状である。また、主体部は、弾性かつ導電性を有する素材からなり、開口部および挿通口を有する。
【考案の効果】
【０００８】
本願において開示される考案のうち、代表的なものによって得られる効果を簡単に説明すれば以下のとおりである。
【０００９】
本考案の一実施の形態によれば、指サックをして操作する際、汗や蒸れにより発生する脱着時の手間や、衛生上の問題を解決し、指サックを装着してない時の携帯性の課題を解決できる。
【図面の簡単な説明】
【００１０】
【図１】本考案の第一の実施形態におけるタッチパネル用指サックの斜視図である。
【図２】本考案の第一の実施形態におけるタッチパネル用指サックを装着した様子を示す概要図である。
【図３】本考案の第一の実施形態におけるタッチパネル用指サックをストラップに連結した様子を示す概要図である。
【図４】本考案の第一の実施形態におけるタッチパネル用指サックを複数装着した様子を示す概要図である。
【図５】本考案の第二の実施形態におけるタッチパネル用指サックの斜視図である。
【図６】本考案の第二の実施形態におけるタッチパネル用指サックを装着した様子を示す概要図である。
【考案を実施するための形態】
【００１１】
以下、本考案の実施の形態を図面に基づいて詳細に説明する。なお、実施の形態を説明するための全図において、同一部には原則として同一の符号を付し、その繰り返しの説明は省略する。
［第一の実施形態］
図１は、本考案の第一の実施形態におけるタッチパネル用指サック１０の斜視図である。
【００１２】
図１に示されるように、タッチパネル用指サック１０は、主体部１００と、ストラップ連結部１３０と、を有する略円筒状である。主体部１００は、弾性かつ導電性を有する素材からなる。また、主体部１００は、開口部１１０および挿通口１２０を有する。
【００１３】
図１に示されるように、主体部１００は、略円筒状の底面を挿通口１２０として有する。すなわち、タッチパネル用指サック１０は、底面が挿通口１２０として開口しているため使用者２００（図２、後述）の指を挿通口１２０に挿入させることにより装着を可能とする。
【００１４】
タッチパネル用指サック１０の大きさは、例えば、高さが５〜１０ｃｍであり、底面の略円形の直径が２ｃｍであるが特に限定されない。また、タッチパネル用指サック１０の厚さは、例えば、３ｍmとする。
【００１５】
タッチパネル用指サック１０の素材は、弾性かつ導電性を有するもの、例えば、導電性ゴムや、導電性カーボンブラックを含むもの等である。
【００１６】
タッチパネル用指サック１０の開口部１１０の形状は、略長方形である。また、開口部１１０の大きさは、例えば、横１ｃｍ×縦２ｃｍであるが特に限定されない。望ましくは、開口部１１０の大きさは、横の長さよりも縦の長さが長いことが望ましい。
【００１７】
このようにして、タッチパネル用指サック１０に開口部１１０を設けることで使用者２００は、指が締め付けられる感覚を低減でき、指をスムーズに動かしてタッチパネルを容易に操作できる。また、開口部１１０を有することで指の表面の一部が外気に触れているので、使用者２００は、指が蒸れることを低減できる。すなわち、使用者２００は、汗や蒸れにより発生する脱着時の手間を低減できる。
【００１８】
また、タッチパネル用指サック１０は、主体部１１０の外側および内側の表面に抗菌剤が塗布されている。このようにして、タッチパネル用指サック１０は、使用者２００がタッチパネルを操作する際、および、使用者２００の指を脱着する際に、その衛生状態を良好に維持できる。
【００１９】
図２は、本考案の第一の実施形態におけるタッチパネル用指サック１０を装着した様子を示す概要図である。
【００２０】
図２に示されるように、タッチパネル用指サック１０は、使用者２００の指を挿通口１２０に挿入させることによって、使用者２００に装着させることができる。
【００２１】
また、タッチパネル用指サック１０は、開口部１１０を有することにより、指を装着した後のタッチパネル用指サック１０の内部の気密性を低減できる。すなわち、タッチパネル用指サック１０は、使用者２００の指や爪またはネイルの大きさに応じて主体部１００を上下に動かすことを容易にさせ、使用者２００にタッチパネル用指サック１０の装着サイズを容易に調整させることができる。
【００２２】
なお、タッチパネル用指サック１０は、主体部１００が伸縮自由なので、使用者２００の指の長さに応じて指にフィットさせることができる。そのために５本の指のうち所望の指に装着させることができる。
【００２３】
また、タッチパネル用指サック１０は、複数個の開口部１１０を有するようにしても良い。タッチパネル用指サック１０は、複数個の開口部１１０を使用者２００の指関節部分に合わせれば、指の曲げ伸ばしにフィットさせることができる。
【００２４】
図３は、本考案の第一の実施形態におけるタッチパネル用指サック１０をストラップに連結した様子を示す概要図である。
【００２５】
図３に示されるように、タッチパネル用指サック１０のストラップ連結部１３０は、ストラップ３１０と連結される。また、ストラップ３１０は、例えば、タッチパネルを有するスマートフォン３００と連結される。
【００２６】
ストラップ連結部１３０の形状は略円筒状である。ストラップ連結部１３０の大きさは、例えば、高さが１ｃｍであり、底面の略円形の直径が４ｍｍである。ストラップ連結部１３０の厚さは、例えば、１ｍmとする。なお、形状、大きさ、厚みは特に上記数値に限定されない。
【００２７】
また、ストラップ連結部１３０のストラップ３１０への連結のさせ方は、例えば、ストラップ連結部１３０の略円筒状の内部にストラップ３１０を挿通させることにより連結させることとするが、特に限定されない。
【００２８】
このように、ストラップ連結部１３０は、ストラップ３１０を介してスマートフォン３００と連結することで、使用者２００にタッチパネル用指サック１０をスマートフォン３００と付随して携帯させることができる。すなわち、タッチパネル用指サック１０は、装着してない時に紛失し易いという携帯性の課題を解決できる。
【００２９】
図４は、本考案の第一の実施形態におけるタッチパネル用指サック１０を複数装着した様子を示す概要図である。
【００３０】
図４に示されるように、タッチパネル用指サック１０は、使用者２００の指のうち複数の指に装着させることができる。また、既述の通り、主体部１００は、伸縮自由な素材であるため使用者２００の指の長さに応じて指にフィットさせることができる。これにより、タッチパネル用指サック１０は、形状や長さの異なる個体を別途用意することなく、同一の規格を有する個体を５本の指のうち装着を所望する指の本数だけ用意して、当該指に装着させることができる。
【００３１】
このようにして、タッチパネル用指サック１０は、タッチパネルの操作領域が大きい場合に複数の指によるブラインドタッチ等の操作を、使用者２００に容易に行わせることができる。
［第二の実施形態］
図５は、本考案の第二の実施形態におけるタッチパネル用指サック５０の斜視図である。
【００３２】
図５に示されるように、タッチパネル用指サック５０は、主体部１００と、ストラップ連結部１３０と、を有する略円筒状である。主体部１００は、弾性かつ導電性を有する素材からなる。また、主体部１００は、開口部１１０および挿通口１２０と、開放孔１５０とをさらに有する。
【００３３】
タッチパネル用指サック５０は、主体部１００の先端側の上面に開放孔１５０を有する。また、開放孔１５０の形状は、略長方形である。開放孔１５０の大きさは、例えば、横１ｃｍ×縦１ｃｍであるが特に限定されない。また、タッチパネル用指サック５０は、開放孔１５０を複数有するようにしても良い。
【００３４】
図６は、本考案の第二の実施形態におけるタッチパネル用指サック５０を装着した様子を示す概要図である。
【００３５】
タッチパネル用指サック５０は、開放孔１５０を設けることで、使用者２００の爪またはネイルが長い場合、開放孔１５０から爪等を出すことで、タッチパネル用指サック５０の本体に爪等を引っ掛けるようにして全体をフィットさせることができる。
【００３６】
このようにして、タッチパネル用指サック５０は、使用者２００の爪またはネイルが長い場合でも、タッチパネル用指サック５０の全体をフィットさせた状態を維持しながらタッチパネル操作が可能となり、タッチパネル用指サック５０の紛失機会を低減できる。
＜本実施の形態の効果＞
以上説明した本実施の形態によれば、タッチパネル用指サック１０は、タッチパネルを操作する際、汗や蒸れにより発生する脱着時の手間や、衛生上の問題を解決できる。また、タッチパネル用指サック１０は、ストラップ３１０と容易に連結できることで、装着してない時のタッチパネル用指サック１０の携帯性を向上できる。
【００３７】
以上、本考案者によってなされた考案を実施の形態に基づき具体的に説明したが、本考案は前記実施の形態に限定されるものではなく、その要旨を逸脱しない範囲で種々変更可能であることはいうまでもない。例えば、タッチパネル用指サック１０の開口部１１０または開放孔１５０の形状が三角形状、五角形状、円形状等である実施形態もある。
【００３８】
本考案は、上記実施の形態に限定されるものではなく、その要旨を逸脱しない範囲で種々変更可能であることは言うまでもない。また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００３９】
１０…タッチパネル用指サック
５０…タッチパネル用指サック
１００…主体部
１１０…開口部
１２０…挿通口
１３０…ストラップ連結部
１５０…開放孔
２００…使用者
３００…スマートフォン
３１０…ストラップ
【図１】
0003229679.tif 000003
【図２】
0003229679.tif 000004
【図３】
0003229679.tif 000005
【図４】
0003229679.tif 000006
【図５】
0003229679.tif 000007
【図６】
0003229679.tif 000008